(57)【要約】【課題】ルーバーを取り外さずにフィルタの交換や清掃を行うことができるようにする。【解決手段】ルーバー１は矩形状に形成された枠部２の外周縁に側板部５を背面方向に立設し、枠部２の内周縁に前面方向に下がるように傾斜した帯状の羽根部３を所定間隔で複数並設して換気口４を形成し、下側板部５にフィルタ枠１５が挿入可能に挿入孔７を形成する。フィルタ枠１５はフィルタ１４を交換可能に取り付け、挿入孔７から挿入してフィルタ１４が換気口４を覆うように取り付ける。【選択図】図１
2007173331.tif 000002
【特許請求の範囲】
【請求項１】
矩形状に形成された枠部の外周縁に側板部を背面方向に立設し、前記枠部の内周縁に前面方向に下がるように傾斜した羽根部を複数並設して換気口を形成し、該換気口を覆うようにフィルタが取り付けられるルーバーにおいて、前記下側板部に挿入孔を形成し、前記フィルタをフィルタ枠に取り付けて前記挿入孔に挿抜可能に取り付けたことを特徴とするルーバー。
【請求項２】
前記フィルタ枠は治具により引き抜き可能に形成したことを特徴とする請求項１に記載のルーバー。
【請求項３】
前記羽根部を前後２列に間隔を有して形成し、前記前後の羽根部の間に前記フィルタを保持できるようにしたことを特徴とする請求項１又は請求項２に記載のルーバー。
【請求項４】
前記フィルタ枠は前記フィルタの一方面の端縁部に当接する本体枠部と、該本体枠部と対向して前記フィルタの他方面の端縁部に当接する可動枠部と、該可動枠部を前記本体枠部に開閉自在にするヒンジ部とで形成して成り、前記フィルタを前記本体枠部と前記可動枠部とで挟持して交換可能に取り付けたことを特徴とする請求項１乃至請求項３の何れかに記載のルーバー。
【請求項５】
前記フィルタ枠の本体枠部及び可動枠部の接合面の一方面に係合突起を所定間隔で複数突設し、他方面に前記係合突起と係脱可能に対向する係合孔を形成し、前記係合突起は前記フィルタを貫通して前記係合孔と係合するようにしたことを特徴とする請求項４に記載のルーバー。
【発明の詳細な説明】
【技術分野】
【０００１】
本発明は、防塵用のフィルタが取り付けられるルーバーに関する。
【背景技術】
【０００２】
ルーバーは枠状の本体と複数の羽根部を所定間隔で並設して換気口を形成したカバーとで構成され、通信機器や電気機器を収納するためのキャビネットなどの側面に形成された開口部に外側から本体を嵌合して取り付けられ、本体の前面にカバーが装着されるようになっている。また、ルーバーには塵埃の侵入を防止するためのフィルタが取り付けられ、フィルタを取り付けるには、キャビネットの外部からカバーを取り外し、本体内にフィルタを嵌めて装着し、取り外したカバーを取り付けることにより行っている（例えば、特許文献１参照。）。
【０００３】
【特許文献１】特許第３４６６１０４号公報
【発明の開示】
【発明が解決しようとする課題】
【０００４】
このため、従来のルーバーはキャビネットの外部から簡単にカバーとフィルタを取り外すことができるので悪戯される虞があった。また、本体も開口部に嵌合されているだけなので外部から取り外すことができ、開口部からキャビネットの内部に悪戯される虞があった。また、カバー及び本体をキャビネットの内側から固定して外側から取り外せないようにした場合は、フィルタの交換をキャビネットの内側から行わなければならないので作業性が悪いという欠点があった。
【課題を解決するための手段】
【０００５】
本発明は、請求項１に記載の発明によれば、矩形状に形成された枠部の外周縁に側板部を背面方向に立設し、枠部の内周縁に前面方向に下がるように傾斜した羽根部を複数並設して換気口を形成し、換気口を覆うようにフィルタが取り付けられるルーバーにおいて、下側板部に挿入孔を形成し、フィルタをフィルタ枠に取り付けて挿入孔に挿抜可能に取り付けたことを特徴とする。
【０００６】
請求項２に記載の発明によれば、請求項１に記載のルーバーにおいて、フィルタ枠は治具により引き抜き可能に形成したことを特徴とする。
【０００７】
請求項３に記載の発明によれば、請求項１又は請求項２に記載のルーバーにおいて、羽根部を前後２列に間隔を有して形成し、前後の羽根部の間にフィルタを保持できるようにしたことを特徴とする。
【０００８】
請求項４に記載の発明によれば、請求項１乃至請求項３の何れかに記載のルーバーにおいて、フィルタ枠はフィルタの一方面の端縁部に当接する本体枠部と、本体枠部と対向してフィルタの他方面の端縁部に当接する可動枠部と、可動枠部を本体枠部に開閉自在にするヒンジ部とで形成して成り、フィルタを本体枠部と可動枠部とで挟持して交換可能に取り付けたことを特徴とする。
【０００９】
請求項５に記載の発明によれば、請求項４に記載のルーバーにおいて、フィルタ枠の本体枠部及び可動枠部の接合面の一方面に係合突起を所定間隔で複数突設し、他方面に係合突起と係脱可能に対向する係合孔を形成し、係合突起はフィルタを貫通して係合孔と係合するようにしたことを特徴とする。
【発明の効果】
【００１０】
請求項１に記載の発明によれば、ルーバーを取り外さずにフィルタの交換や清掃を行うことができるという効果がある。
【００１１】
請求項２に記載の発明によれば、請求項１に記載の発明の効果に加えて、フィルタ枠を悪戯で取り外されることを防止することができるという効果がある。
【００１２】
請求項３に記載の発明によれば、請求項１又は請求項２に記載の発明の効果に加えて、雨水などの浸入を防止して防水性能を向上することができるという効果がある。
【００１３】
請求項４に記載の発明によれば、請求項１乃至請求項３の何れかに記載の発明の効果に加えて、フィルタの装着がしやすいという効果がある。
【００１４】
請求項５に記載の発明によれば、請求項４に記載の発明の効果に加えて、フィルタがずれたり、外れる虞がなく、確実に固定することができ、また、フィルタの装着時に係合突起に突き刺すことで仮固定ができるので容易に取り付けができるという効果がある。
【発明を実施するための最良の形態】
【００１５】
ルーバーは矩形状に形成された枠部の外周縁に側板部を背面方向に立設し、枠部の内周縁に前面方向に下がるように傾斜した帯状の羽根部を所定間隔で複数並設して換気口を形成し、下側板部にフィルタ枠が挿入可能に挿入孔を形成する。フィルタ枠はフィルタを交換可能に取り付け、挿入孔から挿入してフィルタが換気口を覆うように取り付ける。
【実施例１】
【００１６】
本発明に係るルーバーの実施例１を図１〜図５の添付図面に基づいて説明する。
【００１７】
ルーバー１は、矩形状に形成された枠部２の内周縁に前面方向に下がるように傾斜した帯状の羽根部３を所定間隔で複数並設して換気口４を形成し、枠部２の外周縁に側板部５を背面方向に立設し、上下側板部５に背面方向からねじ１３が螺合するねじ穴６が形成されている。また、下側板部５には挿入孔７が形成されてフィルタ１４を装着したフィルタ枠１５が挿入できるように形成され、下側板部５から挿入されたフィルタ枠１５は枠部２の背面に立設された上内壁８と左右内壁９により上方向と左右方向の移動が規制され、左右内壁９に内側方向に突設された凸部１０と羽根部３の背面の間に保持されてフィルタ１４が換気口４を覆うようになっている。
【００１８】
フィルタ枠１５はフィルタ１４の一方面の端縁部に当接する本体枠部１６をルーバー１の換気口４より大きく形成し、本体枠部１６と対向してフィルタ１４の他方面の端縁部に当接する可動枠部１７を形成し、本体枠部１６と可動枠部１７は上端部をヒンジ部１８で一体に成形して開閉自在に連結している。本体枠部１６は可動枠部１７との接合面に係合突起１９が所定間隔で複数形成され、可動枠部１７は係合突起１９と係脱可能に対向する係合孔２０が形成されている。また、本体枠部１６の下端部はルーバー１の挿入孔７を塞ぐように厚みが設けられ、挿入孔７への挿入時にルーバー１の下側板部５と略面一となるように形成されている。この下端部には指が入らない程度のツマミ２１が形成され、治具によりツマミ２１が摘めるようになっている。
【００１９】
このように形成されたルーバー１は電気機器や通信機器を収納するキャビネット２５などに取り付けられる。キャビネット２５は側面に開口部２６が形成され、開口部２６の周縁にルーバー１のねじ穴６と対向する取付孔２７が形成されている。ルーバー１はキャビネット２５の外側からねじ穴６を取付孔２７と一致するように防水パッキン２８を介して当接させ、キャビネット２５の内側から取付孔２７にねじ１３を挿通させてルーバー１のねじ穴６に螺着することにより取り付けられる。このため、キャビネット２５は外側から悪戯で取り外されることがない。
【００２０】
また、フィルタ１４はフィルタ枠１５の可動枠部１７を開いた状態で本体枠部１６に位置合わせして押し付けることによりフィルタ１４に係合突起１９が突き刺さって仮固定され、そこで可動枠部１７を閉じて本体枠部１６に押し付けることにより係合突起１９がフィルタ１４を貫通して係合孔２０に係合して本体枠部１６と可動枠部１７とで挟持されて取り付けることができる。フィルタ１４は係合突起１９に貫通しているのでずれたり、外れることなく確実に固定される。
【００２１】
こうしてフィルタ１４が取り付けられたフィルタ枠１５は、ヒンジ部１８の復元力とフィルタ１４の反発力によってフィルタ１４の厚み方向に膨らんでおり、このフィルタ枠１５をルーバー１の挿入孔７に挿入することにより本体枠部１６と可動枠部１７がルーバー１の羽根部３の背面と左右内壁９の凸部１０に付勢して保持され、脱落しないようになっている。フィルタ枠１５は上端のヒンジ部１８をルーバー１の上内壁８に当接するまで押し込むことにより下端部がルーバー１の下側板部５と略面一となる。
【００２２】
尚、フィルタ１４を清掃又は交換するために、ルーバー１からフィルタ枠１５を取り外す場合は、フィルタ枠１５のツマミ２１を治具で掴んで引き抜くことができる。従って、フィルタ枠１５を取り外す際は治具を用意する必要があり、ツマミ２１を指で摘んで引き抜くことはできないのでフィルタ枠１５を悪戯で取り外される虞がない。
【００２３】
尚、本実施例ではフィルタ枠の本体枠部に係合突起を形成し、可動枠部に係合孔を形成しているが係合突起と係合孔を逆に形成しても良く、形状についても限定はない。また、その他の形状及び構造についても本発明の趣旨を逸脱しない範囲において適宜に変更して実施することが可能である。
【実施例２】
【００２４】
本発明に係るルーバーの実施例２を図６〜図１０の添付図面に基づいて説明する。
【００２５】
ルーバー３１は、矩形状に形成された枠部２の内周縁に前面方向に下がるように傾斜した帯状の羽根部３３ａ，３３ｂが前後２列に間隔を有して所定間隔で複数並設して換気口３４を形成している。前側羽根部３３ａと後側羽根部３３ｂは、隣り合う上下の前側羽根部３３ａの水平方向の隙間Ｓの中間位置に後側羽根部３３ｂの中心Ｔが配置されるように形成されている。また、枠部３２の外周縁に側板部３５を背面方向に立設し、上下側板部３５に背面方向からねじ４３が螺合するねじ穴３６が形成されている。また、下側板部３５には挿入孔３７が形成されてフィルタ４４を装着したフィルタ枠４５が挿入できるように形成され、下側板部３５から挿入されたフィルタ枠４５は、前側羽根部３３ａと後側羽根部３３ｂの間に保持されてフィルタ４４が換気口３４を覆うようになっている。
【００２６】
フィルタ枠４５はフィルタ４４の一方面の端縁部に当接する本体枠部４６をルーバー１の換気口３４より大きく形成し、本体枠部４６と対向してフィルタ４４の他方面の端縁部に当接する可動枠部４７を形成し、本体枠部４６と可動枠部４７は上端部をヒンジ部４８で一体に成形して開閉自在に連結している。本体枠部４６は可動枠部４７との接合面に係合突起４９が所定間隔で複数形成され、可動枠部４７は係合突起４９と係脱可能に対向する係合孔５０が形成されている。また、本体枠部４６の下端部はルーバー３１の挿入孔３７を塞ぐように厚みが設けられ、挿入孔３７への挿入時にルーバー３１の下側板部３５と略面一となるように形成されている。この下端部には指が入らない程度のツマミ５１が形成され、治具によりツマミ５１が摘めるようになっている。
【００２７】
このように形成されたルーバー３１は電気機器や通信機器を収納するキャビネット５５などに取り付けられる。キャビネット５５は側面に開口部５６が形成され、開口部５６の周縁にルーバー３１のねじ穴３６と対向する取付孔５７が形成されている。ルーバー３１はキャビネット５５の外側からねじ穴３６を取付孔５７と一致するように防水パッキン５８を介して当接させ、キャビネット５５の内側から取付孔５７にねじ４３を挿通させてルーバー３１のねじ穴３６に螺着することにより取り付けられる。このため、キャビネット５５は外側から悪戯で取り外されることがない。
【００２８】
また、フィルタ４４はフィルタ枠４５の可動枠部４７を開いた状態で本体枠部４６に位置合わせして押し付けることによりフィルタ４４に係合突起４９が突き刺さって仮固定され、そこで可動枠部４７を閉じて本体枠部４６に押し付けることにより係合突起４９がフィルタ４４を貫通して係合孔５０に係合して本体枠部４６と可動枠部４７とで挟持されて取り付けることができる。フィルタ４４は係合突起４９に貫通しているのでずれたり、外れることなく確実に固定される。
【００２９】
こうしてフィルタ４４が取り付けられたフィルタ枠４５は、ヒンジ部４８の復元力とフィルタ４４の反発力によってフィルタ４４の厚み方向に膨らんでおり、このフィルタ枠４５をルーバー３１の挿入孔３７に挿入することにより本体枠部４６と可動枠部４７がルーバー３１の前側羽根部３３ａと後側羽根部３３ｂに付勢して保持され、脱落しないようになっている。フィルタ枠４５は上端のヒンジ部４８をルーバー３１の上内壁３８に当接するまで押し込むことにより下端部がルーバー３１の下側板部３５と略面一となる。
【００３０】
尚、フィルタ４４を清掃又は交換するために、ルーバー３１からフィルタ枠４５を取り外す場合は、フィルタ枠４５のツマミ５１を治具で掴んで引き抜くことができる。従って、フィルタ枠４５を取り外す際は治具を用意する必要があり、ツマミ５１は指で摘んで引き抜くことはできないのでフィルタ枠４５を悪戯で取り外される虞がない。
【００３１】
このように、ルーバー３１の前面方向に下がるように傾斜した羽根部３３ａ，３３ｂを前後２列に形成し、羽根部３３ａ，３３ｂの間にフィルタ４４を備えたことにより、雨水は前側羽根部３３ａに当たり、前側羽根部３３ａの傾斜に沿ってキャビネット５５の外側に排出し、強風などにより吹き上げられて前側羽根部３３ａ間から進入した水もフィルタ４４に当たりフィルタ４４を伝って挿入孔３７から排出することができる。更にフィルタ４４を通過して進入した水は後側羽根部３３ｂに当たり、後側羽根部３３ｂの傾斜に沿って流れ落ち、挿入孔３７から排出されため、キャビネット５５内への雨水の浸入を防ぎ、高い防水性能を発揮することができる。
【００３２】
尚、本実施例ではフィルタ枠の本体枠部に係合突起を形成し、可動枠部に係合孔を形成しているが係合突起と係合孔を逆に形成しても良く、形状についても限定はない。また、その他の形状及び構造についても本発明の趣旨を逸脱しない範囲において適宜に変更して実施することが可能である。
【図面の簡単な説明】
【００３３】
【図１】本発明の実施例１に係るルーバーにフィルタ枠を取り付ける様子を示す斜視図である。
【図２】本発明の実施例１に係るルーバーの背面を示す斜視図である。
【図３】本発明の実施例１に係るルーバーにフィルタ枠を取り付けた状態の背面斜視図である。
【図４】本発明の実施例１に係るフィルタ枠にフィルタを取り付ける様子を示す斜視図である。
【図５】本発明の実施例１に係るルーバーをキャビネットに取り付ける様子を示す斜視図である。
【図６】本発明の実施例２に係るルーバーにフィルタ枠を取り付ける様子を示す斜視図である。
【図７】本発明の実施例２に係るルーバーの縦断面図である。
【図８】本発明の実施例２に係るルーバーの背面を示す斜視図である。
【図９】本発明の実施例２に係るフィルタ枠にフィルタを取り付ける様子を示す斜視図である。
【図１０】本発明の実施例２に係るルーバーをキャビネットに取り付ける様子を示す斜視図である。
【符号の説明】
【００３４】
１    ルーバー
２    枠部
３    羽根部
４    換気口
５    側板部
７    挿入孔
１４    フィルタ
１５    フィルタ枠
【図１】
2007173331.tif 000003
【図２】
2007173331.tif 000004
【図３】
2007173331.tif 000005
【図４】
2007173331.tif 000006
【図５】
2007173331.tif 000007
【図６】
2007173331.tif 000008
【図７】
2007173331.tif 000009
【図８】
2007173331.tif 000010
【図９】
2007173331.tif 000011
【図１０】
2007173331.tif 000012